(57)【要約】【課題】  光ディスク搬送時の光ディスクの通り道を確保しつつ、光ディスクの再生もしくは記録時に光ディスクの記録面（光ディスクデータ面）が損傷を受けることを抑止可能なスロットイン型の光ディスク装置を、提供する。【解決手段】  この発明の実施の形態によれば、スロットイン型の光ディスク装置１において、光ディスクが再生可能状態に他の光ディスクの誤挿入を防止するシャッター部材１５３を用いて、再生及び記録動作中等、光ディスクがターンテーブルに装着された状態での外乱による光ディスクの振れから、光ディスクデータ面（情報記録面）を容易に保護できる。【選択図】  図６
2008165891.tif 000002
【特許請求の範囲】
【請求項１】
円盤状の記録媒体を保持するターンテーブルを回転軸に備え、前記ターンテーブルが保持した記録媒体を、記録媒体の面に平行に所定の速度で回転させるディスクモータと、
前記ディスクモータの前記ターンテーブルに向けて記録媒体を案内する搬送機構と、
前記搬送機構を動作させるための駆動力を発生するモータと、
前記搬送機構に前記モータからの駆動力を伝達する往復動機構と、
前記往復動機構により、所定の回転軸を回転中心とした回転が提供されることで、前記搬送機構により前記ターンテーブルに案内された記録媒体の記録面を保護するガイド部材と、
を有することを特徴とする光ディスク装置。
【請求項２】
前記ガイド部材は、前記搬送機構による記録媒体の装置内部への搬送が終了し、前記往復動機構が搬送終了位置に到達することで、別の記録媒体が挿入されることを抑止可能であることを特徴とする請求項１記載の光ディスク装置。
【請求項３】
前記ガイド部材は、前記搬送機構により装置内部へ搬送された記録媒体の振れを所定の大きさに制限する傾斜面を有することを特徴とする請求項１記載の光ディスク装置。
【請求項４】
前記ガイド部材は、前記搬送機構により装置内部へ搬送された記録媒体の振れを所定の大きさに制限する傾斜面を有することを特徴とする請求項３記載の光ディスク装置。
【請求項５】
所定の大きさを有する平面部を含むメインシャーシと、
前記メインシャーシの概ね中央に位置され、円盤状の記録媒体を、記録媒体の面方向と直交する回転軸の周りで回転させるディスクモータと、
前記メインシャーシの一端側に規定された挿入口に挿入された記録媒体に前記ディスクモータに向かう方向の力を与えるディスク保持機構と、
前記メインシャーシの一端側に規定された挿入口に挿入された記録媒体を前記ディスク保持機構との間に保持して前記ディスクモータに向けて搬送する搬送機構と、
前記ディスク保持機構及び前記搬送機構を動作させるための駆動力を発生するローディングモータと、
前記ディスク保持機構及び前記搬送機構に前記ローディングモータからの駆動力を伝達するスライド部材と、
前記スライド部材が所定の位置に達した際に所定の回転軸を回転中心とした回転が提供されることで、前記ディスク保持機構及び搬送機構により前記ディスクモータに向けて搬送された記録媒体の記録面を保護するとともに、引き続いて記録媒体が前記メインシャーシの挿入口に挿入されることを抑止するシャッター部材と、
を有することを特徴とする光ディスク装置。
【請求項６】
前記シャッター部材は、前記ディスクモータに向けて搬送された記録媒体の振れを所定の大きさに制限する傾斜面を前記メインシャーシの挿入口の内側に有することを特徴とする請求項５記載の光ディスク装置。
【請求項７】
前記シャッター部材は、前記メインシャーシの挿入口の内側に、前記ディスクモータに案内され、記録媒体の面に平行に所定の速度で回転される際に生じる記録媒体の振れを、記録媒体の外周の端部と接触することで、所定の大きさに制限する傾斜面を有することを特徴とする請求項５記載の光ディスク装置。
【請求項８】
所定の大きさの平面部を有するシャーシと、
前記シャーシの所定の位置に設けられ、円盤状媒体を保持して回転軸の周りで回転させるためのターンテーブルを回転軸に備えたモータと、
前記シャーシの一端部に設けられ、円盤状媒体が前記ターンテーブルに向けて挿入され、または円盤状媒体が排出される挿入口と、
前記挿入口の所定の位置に、円盤状媒体が案内される軌道に対して選択的に進入可能に設けられ、円盤状媒体が前記ターンテーブルにチャッキングされた時点で前記挿入口に進入されることで、別の円盤状媒体が前記挿入口に挿入されることを防止するとともに、回転される円盤状媒体の振れを制限するシャッター部材と、
を有することを特徴とする光ディスク装置。
【請求項９】
前記シャッター部材は、前記シャーシの平面部と直交する方向に規定された回転中心の周りを回転するもので、前記モータに向けて円盤状媒体を搬送する搬送機構の搬送動作により前記挿入口に進入されることを特徴とする光ディスク装置。
【発明の詳細な説明】
【技術分野】
【０００１】
この発明は、円盤状の記録媒体、例えば光ディスクに記録されている情報を読み出し、あるいは同ディスクに情報を記録する光ディスク装置に関する。
【背景技術】
【０００２】
記録されている情報をレーザ光により再生し、あるいはレーザ光により情報が記録可能な光ディスク装置が実用化されて久しい。
【０００３】
光ディスク装置は、光ディスクの情報記録面に沿ってその半径方向に移動され、光ディスクに記録されている情報を読み出し、あるいは光ディスクに情報を記録するピックアップ（光学ヘッド）装置と、光ディスクを装置内部の所定の位置に引き込み、また確実に排出するためのディスクローディング機構と、光ディスクを回転させるディスクモータと、情報の記録及び再生に関する一連の動作を司る制御回路部等を含む。
【０００４】
なお、光ディスク装置において、光ディスクを装置内部の所定の位置に引き込み、また確実に排出するためのディスクローディング機構としては、光ディスクあるいは光ディスクが収容されているカートリッジが載置されるトレイを有し、トレイが装置内部から突出されることで、光ディスク（またはカートリッジ）が搭載可能となるトレイタイプと、光ディスクを装置内部に引き込むスロットイン型に大別される。
【０００５】
また、スロットイン型は、光ディスク装置の厚さを低減可能で、しかも自動車等に搭載されるオーディオ・ビデオシステムや携帯型パーソナルコンピュータ等に代表される組み込み式の光ディスク装置に、広く採用されている。
【０００６】
なお、特許文献１には、ターンテーブルに装着されたディスクと対向する駆動部上に、ディスク装置が過大な衝撃を受けてディスクに撓みが生じた場合にディスクの縁部が接触するよう、ディスクの縁部と直交する方向もしくは所定の角度に延びた複数の衝突規制部を設けたディスク装置が、示されている。
【０００７】
また、特許文献２には、スロットイン型の光ディスクドライブ装置において、クランパに向けて光ディスクを搬送するガイドピンの先端部に、テーパを設けて円錐台形状とし、装填された光ディスクが大きく振れた場合でも光ディスクの外周面端部が底部シャーシの端部に当たるよりも先に接触することを利用して、光ディスクの信号記録面を保護するものが、示されている。
【特許文献１】特開２０００−４０３５０
【特許文献２】特開２００２−９３１４３
【発明の開示】
【発明が解決しようとする課題】
【０００８】
上述の特許文献１に記載されたディスク装置における衝突規制部（保護部材）は、筐体或いはメカベース等に形成されており、特にディスク挿入口近傍の保護部材については、ディスク通過時のクリアランスの確保の面からディスクのエッジに十分近接させることが困難であるため、振れが大きくなり易い挿入口及びその近傍において、光ディスクの信号記録面を十分に保護できない虞がある。
【０００９】
特許文献２に記載された光ディスクドライブ装置におけるガイドピンは、光ディスクを搬送・位置決めする部品に一体に設けられていることにより、光ディスクの揺れ（振れ）が大きくなり易く、しかも振れを規制する部材としての効果が最も期待できる挿入口中央への配置は困難である。
【００１０】
この発明の目的は、光ディスク搬送時の光ディスクの通り道を確保しつつ、光ディスクの再生もしくは記録時等に光ディスクの記録面（光ディスクデータ面）が損傷を受けることを抑止可能なスロットイン型の光ディスク装置を提供するものである。
【課題を解決するための手段】
【００１１】
この発明は、上記問題点に基づきなされたもので、円盤状の記録媒体を保持するターンテーブルを回転軸に備え、前記ターンテーブルが保持した記録媒体を、記録媒体の面に平行に所定の速度で回転させるディスクモータと、前記ディスクモータの前記ターンテーブルに向けて記録媒体を案内する搬送機構と、前記搬送機構を動作させるための駆動力を発生するモータと、前記搬送機構に前記モータからの駆動力を伝達する往復動機構と、前記往復動機構により、所定の回転軸を回転中心とした回転が提供されることで、前記搬送機構により前記ターンテーブルに案内された記録媒体の記録面を保護するガイド部材と、を有することを特徴とする光ディスク装置、を提供するものである。
【発明の効果】
【００１２】
この発明の実施の形態によれば、スロットイン型の光ディスク装置において、光ディスクが再生可能状態に他の光ディスクの誤挿入を防止するシャッター部材を用い、再生及び記録動作中等、光ディスクがターンテーブルに装着された状態での外乱による光ディスクの振れから、光ディスクデータ面（情報記録面）を保護することが、専用の追加部品を必要とすることなく容易に、実現できる。
【発明を実施するための最良の形態】
【００１３】
以下、図面を参照して、この発明の実施の形態の一例を説明する。
【００１４】
図１は、この発明の実施の一形態が適用可能な光ディスク装置の一例を示す。なお、図１に示す光ディスク装置は、情報の記録時及び再生時に光ディスクが装置内部に収容されるスロットイン型と呼ばれる光ディスク装置であって、例えば携帯可能なパーソナルコンピュータ（ノートＰＣ）等に組み込まれて利用される。また、図１では、一部のカバー類を取り外した状態を、示している。
【００１５】
図１に示す光ディスク装置１は、ボトムカバー、すなわちメカベースシャーシ１１とメカベースシャーシ１１の概ね中央に位置されたディスクモータ１３とを有する。ディスクモータ１３の中心軸（符号なし）には、光ディスクを積置するターンテーブル１５が設けられている。
【００１６】
ターンテーブル１５が一体に設けられたディスクモータ１３の近傍には、メカベースシャーシ１１の所定の位置に定義された支点１７を回動中心として旋回（回動）するローディングアーム１９が設けられている。
【００１７】
メカベースシャーシ１１の広がり方向（面方向）の外周側の所定の位置には、ローディングアーム１９と協働して、挿入方向Ａから挿入される光ディスクを支持してローディングアーム１９に向けて案内する第１のディスクガイド２３（挿入方向Ａから見て、ターンテーブル１５の右側に位置される）及び第２のディスクガイド２５（挿入方向Ａから見て、ターンテーブル１５の左側に位置される）が設けられている。すなわち、第１及び第２のディスクガイド２３，２５は、ターンテーブル１５を平面方向（ターンテーブル１５を支持するディスクモータ１３の中心軸と平行な方向）から見た状態で、ターンテーブル１５がそれぞれのガイド２３，２５の内側に位置されるよう、ターンテーブル１５を挟んで両側に位置されている。
【００１８】
第１のディスクガイド２３の近傍には、図１では見えないが、ローディングアーム１９と協働して挿入方向Ａから挿入される光ディスクをローディングアーム１９に向けて押し付けるディスクホールドレバーが、設けられている。
【００１９】
なお、ローディングアーム１９とディスクホールドレバーは、カムスライダ３１の矢印Ａ方向に平行な方向すなわち奥行き方向の往復動が図面では見えないコネクティングカムにより旋回運動に変換されることで、図３及び図４により後段に説明するが、挿入された光ディスクを挟み込みながら、ディスクモータ１３に一体に設けられたターンテーブル１５と光ディスクの中心穴が一致するよう、光ディスクを搬送する。
【００２０】
カムスライダ３１は、ギヤ列３９を介して伝達されるローディングモータ４１の正転、あるいは逆転により、図３及び図４に示すように、メカベースシャーシ１１内を平行移動する。
【００２１】
また、光ディスク装置１のディスク挿入側には、図２にその部分を拡大して示すが、カムスライダ３１の往復動に連動して動作するディスクガードリブ５１が設けられている。
【００２２】
図１を用いて既に説明した通り、光ディスク装置１は、スロットイン型であるから、装置内部に光ディスクを搬送するためのローディング動作、及び装置内部から光ディスクを排出するためのイジェクティング動作を伴う。多くの場合、ディスクモータ１３は、光ディスクがローディングされ、所定の位置（クランピング位置）に案内されるまでの間、光ディスクが移動する軌道から退避される。光ディスクがイジェクティングされる間も同様である。
【００２３】
このため、詳述しないが、ディスクモータ１３は、ハウジング（モータケース）及び光ディスク装置１のメカベースシャーシ１１を好適に加工することにより、回転軸を回転中心として回転（旋回）可能に形成され、例えばメカベースシャーシ１１に対して近接する方向に変位されて、光ディスクが移動する軌道（ディスクの通り道）から退避する。
【００２４】
次に、図３及び図４を用いて、ローディングアームとディスクホールドレバーにより光ディスクが搬送される際のカムスライダの往復動について説明する。
【００２５】
図３（ａ）に示すように、光ディスクが挿入方向Ａから光ディスク装置１に挿入される（押し込まれる）と、ディスクホールディングレバー２７のディスクホールディングピン２７ａが光ディスクの外周の任意の位置が接することにより、光ディスクは、ローディングアーム１９及びターンテーブル１５側へ誘導され、ローディングアーム１９の第１の位置決め突起１９ａに接触する。なお、ディスクホールディングレバー２７とローディングアーム１９は、互いにターンテーブル１５側に向かうよう、ばね２９により所定の張力が与えられていることにより、光ディスクは、ディスクホールディングレバー２７とローディングアーム１９とにより支えられて、ターンテーブル１５側へ案内される。
【００２６】
この状態でさらに光ディスクが押し込まれると、ローディングアーム１９が支点１７を回動中心としてターンテーブル１５から離れる方向に、回動（旋回）する。なお、第１及び第２のディスクガイド２３，２５が、光ディスクが挿入される（ローディングアーム１９が旋回する）につれて外側に次第に押し広げられ、光ディスクの不所望な動きが規制される。
【００２７】
引き続き、光ディスクが押し込まれることで、第１及び第２のディスクガイド２３，２５の支点２３ａ，２５ａが最も外側まで移動されて実質的に直線状となり、光ディスクの中心がターンテーブル１５の近傍に位置するまで、ディスクホールディングレバー２７とローディングアーム１９とにより、光ディスクが搬送される。
【００２８】
ディスクホールディングレバー２７とローディングアーム１９とにより挟持された光ディスクは、引き続く、ディスクホールディングレバー２７とローディングアーム１９の旋回により、図３（ｂ）に示すように、ターンテーブル１５と光ディスクの中心とが一致するディスククランプ位置まで搬送される。
【００２９】
以下、カムスライダ３１がさらにスライドし、コネクトレバー２１の係合突起（ＣＯ）がＬＯカムＰＯＳ（ＬＯ）に入ると、ローディングアーム１９すなわち第１及び第２の位置決め突起１９ａ，１９ｂが、ディスクモータ１３に設けられたターンテーブル１５の中央にディスクの中心（穴）が一致する位置まで進入可能に、移動される。同時に、ディスクホールドレバー２７の係合突起（ＨＯ）がＨＯカムＰＯＳ（ＬＯ）に入り、ディスクホールドピン２７ａが、ターンテーブル１５の中央にディスクの中心が一致する位置まで光ディスクを押し込み可能に、移動する。これにより、光ディスクは、ターンテーブル１５上でクランプされる位置に、位置される。
【００３０】
なお、光ディスクが回転される際には、図４に示すように、ディスクホールディングレバー２７及びローディングアーム１９のそれぞれは、図示しないばね圧解除機構によりターンテーブル１５へ向かう方向の張力が解放され、光ディスクの外周部と接することが抑止されることはいうまでもない。
【００３１】
以下、サブシャーシ３３内を光ディスクの径方向に移動可能に、サブシャーシ３３に組み込まれている図示しないＰＵＨ（ピックアップヘッド）を介して、光ディスクから情報が読み出され、もしくは光ディスクに情報が記録されるが、多くの実施の形態が既に報告されているので、ここでは、説明を省略する。
【００３２】
また、光ディスクが排出される場合には、ローディングアーム１９が逆方向に旋回することにより、容易に（取り出し可能な位置まで）排出可能である。
【００３３】
ところで、図１乃至図４から明らかなように、カムスライダ３１は、図１に示した待機状態では、ディスク挿入端側から離れた端部が、支点１７よりもメカベースシャーシ１１の奥に位置されている。一方、図２に示したように、光ディスクのローディングが終了した時点では、カムスライダ３１は、メカベースシャーシ１１の挿入側の端部１１ａの近傍まで移動されている（図３及び図４におけるローディングモータ４１の位置と比較しても、移動が見て取れる）。
【００３４】
以下、図５及び図６を用いて、上述したカムスライダの往復動とディスクガードリブの動作の関係を説明する。
【００３５】
図１に示したように、スロットイン型の光ディスク装置１においては、挿入口近傍には、光ディスク搬送時の通り道（軌道）として十分なスペースが必要である。
【００３６】
一方、多くのスロットイン型の光ディスク装置においては、動作時（ディスク挿入中）に、別の光ディスクが挿入されることを防止するために、ローディングの終了にリンクして、開口部（ディスク挿入口）を塞ぐための、例えばシャッター部品（以後シャッターレバーと称す）が設けられる。
【００３７】
詳細には、図５に示すように、例えばディスクガードリブ５１に、シャッターレバー１５３を一体に形成し、ディスク挿入時およびディスク排出時は、ディスクガードリブ５１の回転中心（中心軸）５１ａを中心として矢印５１ｂの方向に旋回させることで、通り道が確保でき、動作時（ディスク挿入中）は、図６に示すように、矢印５１ｂ方向と逆向きの矢印５１ｃ方向に旋回させることで、シャッターレバー１５３により、次の光ディスクが挿入されることを防止できる。なお、ディスクガードリブ５１は、圧縮ばね１５２からの力により、待機状態（非ローディング時）には、矢印５１ｂ側に旋回されているため、光ディスクの挿入時（挿入開始時）に、特別な解除動作が求められることはない。
【００３８】
シャッターレバー１５３（ディスクガードリブ５１）は、上述したカムスライダ３１の加圧端１３１と係合可能に形成された受圧端１５１を有し、図３及び図４により説明したローディング動作におけるローディング終了時（ローディングＥＮＤ）において、カムスライダ３１がディスク挿入口１１ａ側に移動されることにより、カムスライダ３１の加圧端１３１により受圧端１５１が矢印５１ｃ方向の力を受けることで旋回し、図６に示した動作時の位置に位置される。
【００３９】
なお、シャッターレバー１５３すなわちディスクガードリブ５１のディスクモータ１３側の面には、図７及び図８に概略的に示すように、ターンテーブル１５にクランプされて回転される光ディスクの端面（外周部）と接触可能に形成されたディスク保護面１５４が一体に形成されている。
【００４０】
すなわち、シャッターレバー１５３すなわちシャッター部品の先端部に、光ディスクの外周の近傍との間で適切な距離が与えられ、ディスクが振れた場合であってもその振れを規制できる位置決め突起、すなわち傾斜面を有する突起状のディスク保護面１５４を設けたことにより、外乱によるディスクの面振れ等が生じた場合であっても、光ディスクの外周のエッジをディスク保護面１５４でガイドすることができ、光ディスクの情報記録面の損傷を防ぐことができる。
【００４１】
なお、カムスライダ３１は、ローディングモータ４１が正転あるいは逆転されることによるギヤ列３９の回転により往復動されることは、いうまでもない。
【００４２】
以上説明したように、この発明の実施の形態の一例を採用することで、光ディスク搬送時の光ディスクの通り道を確保しつつ、光ディスクの再生もしくは記録時等に光ディスクの記録面（光ディスクデータ面）が損傷を受けることを抑止可能なスロットイン型の光ディスク装置が得られる。
【００４３】
また、スロットイン型の光ディスク装置において、光ディスクが再生可能状態に他の光ディスクの誤挿入を防止するシャッター部材を用い、再生及び記録動作中、或いは外乱による光ディスクの振れから光ディスクデータ面（情報記録面）を保護することが、専用の追加部品を必要とすることなく容易に、実現できる。
【００４４】
また、シャッター部材は、光ディスクを光ディスク装置内部にローディング、あるいは光ディスクを外部にイジェクトするために利用される往復動機構を用いて、動作位置及び待機位置を移動されることから、新たな動力（駆動）源も必要なく、低コストで信頼性の高い光ディスク装置が得られる。
【００４５】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００４６】
【図１】この発明の実施の一形態が適用される光ディスク装置の一例を説明する概略図。
【図２】図１に示した光ディスク装置のディスク挿入側の端部の構成を説明する概略図。
【図３】図１に示した光ディスク装置における光ディスクの挿入過程とカムスライダの位置を説明する概略図。
【図４】図３に示したディスクが回転可能な位置にローディングされたローディング終了状態（ローディングアーム及びディスクホールディングレバー退避）を説明する概略図。
【図５】図１及び図２に示した光ディスク装置において、図３及び図４に示したディスクローディング時のディスクガードリブの動作（非ローディング状態）を説明する概略図。
【図６】図１及び図２に示した光ディスク装置において、図３及び図４に示したディスクローディング時のディスクガードリブの動作（動作状態）を説明する概略図。
【図７】図１及び図２に示した光ディスク装置において、図３及び図４に示したディスクローディング時のディスクガードリブの動作（非ローディング状態）を説明する概略図。
【図８】図１及び図２に示した光ディスク装置において、図３及び図４に示したディスクローディング時のディスクガードリブの動作（動作状態）を説明する概略図。
【符号の説明】
【００４７】
１…光ディスク装置、１１…ボトムカバー（メカベースシャーシ）、１１ａ…ディスク挿入端、１３…ディスクモータ、１５…ターンテーブル、１７…（ローディングアームの）回動支点、１９…ローディングアーム、２３…第１のディスクガイド、２５…第２のディスクガイド、２７…ディスクホールディングレバー、２９…ばね部材、３１…カムスライダ、３３…サブシャーシ、５１…ディスクガードリブ、５１ａ…回転中心（中心軸）、５１ｂ…旋回方向（非ローディング時）、５１ｃ…旋回方向（動作時）、１３１…加圧端（カムスライダ）、１５１…受圧端、１５２…圧縮ばね、１５３…シャッターレバー、１５４…ディスク保護面。
【図１】
2008165891.tif 000003
【図２】
2008165891.tif 000004
【図３】
2008165891.tif 000005
【図４】
2008165891.tif 000006
【図５】
2008165891.tif 000007
【図６】
2008165891.tif 000008
【図７】
2008165891.tif 000009
【図８】
2008165891.tif 000010